(57)【要約】【課題】  表示品位に優れた表示装置及び表示装置の駆動方法を提供する。【解決手段】  表示装置は、信号線と、走査線と、第１画素ＭＰ１と、第１画素と一方にて隣合う第２画素ＭＰ２と、第１画素と他方にて隣合う第３画素ＭＰ３と、を備える。第１画素ＭＰ１は、第１色を表示する第１副画素ＳＰ１と、白色を表示する第２副画素ＳＰ２と、第２色を表示する第３副画素ＳＰ３と、を含んでいる。第２画素ＭＰ２は、第３色を表示する第４副画素ＳＰ４と、白色を表示する第５副画素ＳＰ５と、第１色を表示する第６副画素ＳＰ６と、を含んでいる。第３画素ＭＰ３は、第２色を表示する第７副画素ＳＰ７と、白色を表示する第８副画素ＳＰ８と、第３色を表示する第９副画素ＳＰ９と、を含んでいる。【選択図】図１０
2017037179.tif 000002
【特許請求の範囲】
【請求項１】
第１方向に並んだ複数の信号線と、
前記第１方向に交差する第２方向に並んだ複数の走査線と、
白色とは異なる第１色を表示する第１領域を有する第１副画素と、白色を表示する第２領域を有し前記第１副画素より前記第２方向側に位置し前記第１副画素と隣合う第２副画素と、白色及び前記第１色とは異なる第２色を表示する第３領域を有し前記第１副画素及び前記第２副画素より前記第１方向側に位置し前記第１副画素及び前記第２副画素の両方と隣合う第３副画素と、を含む第１画素と、
白色、前記第１色及び前記第２色とは異なる第３色を表示する第４領域を有する第４副画素と、白色を表示する第５領域を有し前記第４副画素より前記第２方向側に位置し前記第４副画素と隣合う第５副画素と、前記第１色を表示する第６領域を有し前記第４副画素及び前記第５副画素より前記第１方向側に位置し前記第４副画素及び前記第５副画素の両方と隣合う第６副画素と、を含み、前記第１画素と一方にて隣合う第２画素と、
前記第２色を表示する第７領域を有する第７副画素と、白色を表示する第８領域を有し前記第７副画素より前記第２方向側に位置し前記第７副画素と隣合う第８副画素と、前記第３色を表示する第９領域を有し前記第７副画素及び前記第８副画素より前記第１方向側に位置し前記第７副画素及び前記第８副画素の両方と隣合う第９副画素と、を含み、前記第１画素と他方にて隣合う第３画素と、を備える、表示装置。
【請求項２】
前記複数の信号線及び前記複数の走査線を駆動し、前記複数の信号線を介して前記第１画素乃至前記第３画素の前記第１副画素乃至第９副画素に画像信号を与える駆動部をさらに備え、
前記駆動部は、前記第１画素で前記第３色の表示が不足する場合、前記第２画素及び前記第３画素のうちの前記第３色を表示する１個又は２個の副画素である割付対象副画素に与える前記画像信号の電圧値を調整し、前記第３色の表示の不足分を前記割付対象副画素に割り付ける、請求項１に記載の表示装置。
【請求項３】
前記第３領域、前記第６領域及び前記第９領域のそれぞれの面積は、前記第１領域、前記第２領域、前記第４領域、前記第５領域、前記第７領域及び前記第８領域のそれぞれの面積より大きい、請求項１に記載の表示装置。
【請求項４】
前記複数の信号線及び前記複数の走査線を駆動し、前記複数の信号線を介して前記第１画素乃至前記第３画素の前記第１副画素乃至第９副画素に画像信号を与える駆動部をさらに備え、
前記駆動部は、
前記第１画素で前記第３色の表示が不足する場合、前記第３色の表示の不足分を前記第４副画素で補完することができるかどうか判断し、
前記第４副画素で補完することができると判断した際、前記第４副画素に与える前記画像信号の電圧値を調整し、前記第３色の表示の不足分を前記第４副画素に割り付け、
前記第４副画素で補完することができないと判断した際、前記第９副画素に与える前記画像信号の電圧値を調整し、前記第３色の表示の不足分を前記第９副画素に割り付ける、請求項３に記載の表示装置。
【請求項５】
前記第３画素と同様に構成され、前記第１画素と他方にて隣合い、前記第１画素及び前記第２画素とともに前記第１方向に並んだ第４画素と、
前記第２画素と同様に構成され、前記第１画素と他方にて隣合い、前記第１画素及び前記第３画素とともに前記第２方向に並んだ第５画素と、
前記複数の信号線及び前記複数の走査線を駆動し、前記複数の信号線を介して前記第１画素乃至前記第５画素の前記第１副画素乃至第９副画素に画像信号を与える駆動部と、をさらに備え、
前記駆動部は、前記第１画素で前記第３色の表示が不足する場合、前記第２画素乃至前記第５画素のうちの前記第３色を表示する１個又は２個の副画素である割付対象副画素に与える前記画像信号の電圧値を調整し、前記第３色の表示の不足分を前記割付対象副画素に割り付ける、請求項１に記載の表示装置。
【請求項６】
前記第３画素と同様に構成され、前記第１画素と他方にて隣合い、前記第１画素及び前記第２画素とともに前記第１方向に並んだ第４画素と、
前記第２画素と同様に構成され、前記第１画素と他方にて隣合い、前記第１画素及び前記第３画素とともに前記第２方向に並んだ第５画素と、
前記第２画素と同様に構成され、前記第４画素と一方にて隣合い、前記第３画素と一方にて隣合う第６画素と、
前記第３画素と同様に構成され、前記第２画素と一方にて隣合い、前記第５画素と一方にて隣合う第７画素と、
前記第１画素と同様に構成され、前記第２画素と他方にて隣合い、前記第３画素と他方にて隣合い、前記第３画素及び前記第６画素とともに前記第１方向に並んだ第８画素と、
前記第１画素と同様に構成され、前記第４画素と他方にて隣合い、前記第５画素と他方にて隣合い、前記第５画素及び前記第７画素とともに前記第１方向に並んだ第９画素と、をさらに備える、請求項１に記載の表示装置。
【請求項７】
前記複数の信号線及び前記複数の走査線を駆動し、前記複数の信号線を介して前記第１画素乃至前記第９画素の前記第１副画素乃至第９副画素に画像信号を与える駆動部をさらに備え、
前記駆動部は、前記第１画素で前記第３色の表示が不足する場合、前記第２画素乃至前記第９画素のうちの前記第３色を表示する１個又は２個の副画素である割付対象副画素に与える前記画像信号の電圧値を調整し、前記第３色の表示の不足分を前記割付対象副画素に割り付ける、請求項６に記載の表示装置。
【請求項８】
前記駆動部は、前記割付対象副画素を前記第２画素乃至前記第９画素からランダムに選び出す、請求項７に記載の表示装置。
【請求項９】
前記第１方向及び前記第２方向に配列された複数の画素群と、
前記複数の信号線及び前記複数の走査線を駆動し、前記複数の信号線を介して前記第１画素乃至前記第９画素の前記第１副画素乃至第９副画素に画像信号を与える駆動部と、をさらに備え、
各々の前記画素群は、前記第１画素乃至前記第９画素である複数種類の画素を有し、
前記駆動部は、前記第１色乃至前記第３色のうちの少なくとも１色の表示が不足する少なくとも１種類の複数の画素が表示領域の全域に存在する場合、各々の前記画素を取囲む８個の画素のうちの前記不足する色を表示する１個又は２個の副画素である割付対象副画素をランダムに選び出し、前記割付対象副画素に与える前記画像信号の電圧値を調整し、前記不足する色の表示の不足分を前記割付対象副画素に割り付ける、請求項６に記載の表示装置。
【請求項１０】
前記複数の信号線及び前記複数の走査線を駆動し、前記複数の信号線を介して前記第１画素乃至前記第９画素の前記第１副画素乃至第９副画素に画像信号を与える駆動部をさらに備え、
前記駆動部は、
対象領域に前記第３色を表示し、前記対象領域の外縁部に前記第１画素が位置し、前記第１画素で前記第３色の表示が不足する場合、
前記第３色の表示の不足分を前記第２画素乃至前記第９画素のうちの前記対象領域内に位置する前記第３色を表示する１個又は２個の副画素で補完することができるかどうか判断し、
前記１個又は２個の副画素で補完することができると判断した際、前記１個又は２個の副画素である割付対象副画素に与える前記画像信号の電圧値を調整し、前記第３色の表示の不足分の前記割付対象副画素への割り付けを実施する請求項６に記載の表示装置。
【請求項１１】
前記駆動部は、
前記１個又は２個の副画素で補完することができないと判断した際、前記第２画素乃至前記第９画素のうちの前記第３色を表示する全ての副画素への割り付けを中止する、請求項１０に記載の表示装置。
【請求項１２】
第１の副画素と、第２の副画素と、前記第１の副画素及び前記第２の副画素のそれぞれよりも面積の大きな第３の副画素と、からなる画素がマトリクス状に配列された表示装置であって、
第１の画素では、第１の副画素が白色を表示する副画素であり、第２の副画素が白色とは異なる第１の色を表示する副画素であり、第３の副画素が白色とも前記第１の色とも異なる第２の色を表示する副画素であり、
前記第１の画素と隣接する第２の画素では、第１の副画素が白色を表示する副画素であり、第２の副画素が前記第２の色を表示する副画素であり、第３の副画素が白色とも前記第１の色と前記第２の色とも異なる第３の色を表示する副画素である、表示装置。
【請求項１３】
第１方向に並んだ複数の信号線と、前記第１方向に交差する第２方向に並んだ複数の走査線と、白色とは異なる第１色を表示する第１領域を有する第１副画素と、白色を表示する第２領域を有し前記第１副画素より前記第２方向側に位置し前記第１副画素と隣合う第２副画素と、白色及び前記第１色とは異なる第２色を表示する第３領域を有し前記第１副画素及び前記第２副画素より前記第１方向側に位置し前記第１副画素及び前記第２副画素の両方と隣合う第３副画素と、を含む第１画素と、白色、前記第１色及び前記第２色とは異なる第３色を表示する第４領域を有する第４副画素と、白色を表示する第５領域を有し前記第４副画素より前記第２方向側に位置し前記第４副画素と隣合う第５副画素と、前記第１色を表示する第６領域を有し前記第４副画素及び前記第５副画素より前記第１方向側に位置し前記第４副画素及び前記第５副画素の両方と隣合う第６副画素と、を含み、前記第１画素と一方にて隣合う第２画素と、前記第２色を表示する第７領域を有する第７副画素と、白色を表示する第８領域を有し前記第７副画素より前記第２方向側に位置し前記第７副画素と隣合う第８副画素と、前記第３色を表示する第９領域を有し前記第７副画素及び前記第８副画素より前記第１方向側に位置し前記第７副画素及び前記第８副画素の両方と隣合う第９副画素と、を含み、前記第１画素と他方にて隣合う第３画素と、を備える、表示装置の駆動方法において、
前記複数の信号線及び前記複数の走査線を駆動し、前記複数の信号線を介して前記第１画素乃至前記第３画素の前記第１副画素乃至第９副画素に画像信号を与え、
前記第１画素で前記第３色の表示が不足する場合、前記第２画素及び前記第３画素のうちの前記第３色を表示する１個又は２個の副画素である割付対象副画素に与える前記画像信号の電圧値を調整し、前記第３色の表示の不足分を前記割付対象副画素に割り付ける、表示装置の駆動方法。
【発明の詳細な説明】
【技術分野】
【０００１】
本発明の実施形態は、表示装置及び表示装置の駆動方法に関する。
【背景技術】
【０００２】
近年、スマートフォンやタブレット向けの表示装置では、さらなる高解像度化及び高開口率化の要求が高まっている。高解像度化に伴って画素サイズが小さくなると、画素面積に対する信号線や遮光層の比率が高まるため、開口率が低くなる。また、混色の発生を抑制する必要があるため、画素面積に対する信号線や遮光層の比率を低くすることは困難である。  
そこで、高解像度を実現しながら、開口率を確保する技術の一例として、画素を、赤色の副画素及び緑色の副画素の２個の副画素で形成したり、青色の副画素及び白色の副画素の２個の副画素で形成したり、する技術が知られている。
【先行技術文献】
【特許文献】
【０００３】
【特許文献１】特許第４９１８０２８号公報
【特許文献２】国際公開第２０１２／１３７８１９号パンフレット
【発明の概要】
【発明が解決しようとする課題】
【０００４】
本実施形態は、表示品位に優れた表示装置及び表示装置の駆動方法を提供する。
【課題を解決するための手段】
【０００５】
一実施形態に係る表示装置は、
第１方向に並んだ複数の信号線と、
前記第１方向に交差する第２方向に並んだ複数の走査線と、
白色とは異なる第１色を表示する第１領域を有する第１副画素と、白色を表示する第２領域を有し前記第１副画素より前記第２方向側に位置し前記第１副画素と隣合う第２副画素と、白色及び前記第１色とは異なる第２色を表示する第３領域を有し前記第１副画素及び前記第２副画素より前記第１方向側に位置し前記第１副画素及び前記第２副画素の両方と隣合う第３副画素と、を含む第１画素と、
白色、前記第１色及び前記第２色とは異なる第３色を表示する第４領域を有する第４副画素と、白色を表示する第５領域を有し前記第４副画素より前記第２方向側に位置し前記第４副画素と隣合う第５副画素と、前記第１色を表示する第６領域を有し前記第４副画素及び前記第５副画素より前記第１方向側に位置し前記第４副画素及び前記第５副画素の両方と隣合う第６副画素と、を含み、前記第１画素と一方にて隣合う第２画素と、
前記第２色を表示する第７領域を有する第７副画素と、白色を表示する第８領域を有し前記第７副画素より前記第２方向側に位置し前記第７副画素と隣合う第８副画素と、前記第３色を表示する第９領域を有し前記第７副画素及び前記第８副画素より前記第１方向側に位置し前記第７副画素及び前記第８副画素の両方と隣合う第９副画素と、を含み、前記第１画素と他方にて隣合う第３画素と、を備える。
【０００６】
また、一実施形態に係る表示装置の駆動方法は、
第１方向に並んだ複数の信号線と、前記第１方向に交差する第２方向に並んだ複数の走査線と、白色とは異なる第１色を表示する第１領域を有する第１副画素と、白色を表示する第２領域を有し前記第１副画素より前記第２方向側に位置し前記第１副画素と隣合う第２副画素と、白色及び前記第１色とは異なる第２色を表示する第３領域を有し前記第１副画素及び前記第２副画素より前記第１方向側に位置し前記第１副画素及び前記第２副画素の両方と隣合う第３副画素と、を含む第１画素と、白色、前記第１色及び前記第２色とは異なる第３色を表示する第４領域を有する第４副画素と、白色を表示する第５領域を有し前記第４副画素より前記第２方向側に位置し前記第４副画素と隣合う第５副画素と、前記第１色を表示する第６領域を有し前記第４副画素及び前記第５副画素より前記第１方向側に位置し前記第４副画素及び前記第５副画素の両方と隣合う第６副画素と、を含み、前記第１画素と一方にて隣合う第２画素と、前記第２色を表示する第７領域を有する第７副画素と、白色を表示する第８領域を有し前記第７副画素より前記第２方向側に位置し前記第７副画素と隣合う第８副画素と、前記第３色を表示する第９領域を有し前記第７副画素及び前記第８副画素より前記第１方向側に位置し前記第７副画素及び前記第８副画素の両方と隣合う第９副画素と、を含み、前記第１画素と他方にて隣合う第３画素と、を備える、表示装置の駆動方法において、
前記複数の信号線及び前記複数の走査線を駆動し、前記複数の信号線を介して前記第１画素乃至前記第３画素の前記第１副画素乃至第９副画素に画像信号を与え、
前記第１画素で前記第３色の表示が不足する場合、前記第２画素及び前記第３画素のうちの前記第３色を表示する１個又は２個の副画素である割付対象副画素に与える前記画像信号の電圧値を調整し、前記第３色の表示の不足分を前記割付対象副画素に割り付ける。
【図面の簡単な説明】
【０００７】
【図１】図１は、第１の実施形態に係る液晶表示装置の構成を斜視図である。
【図２】図２は、図１に示した液晶表示パネルを示す断面図である。
【図３】図３は、上記液晶表示パネルの表示領域における複数の画素群の配列の一例を示す図である。
【図４】図４は、上記複数の画素群の一部を示す図であり、画素群の複数の画素の配列の一例を示す図である。
【図５】図５は、図１及び図２に示したアレイ基板の構成を示す平面図である。
【図６】図６は、上記液晶表示パネルの２個の画素を示す構成図であり、走査線、信号線、スイッチング素子及び画素電極の電気的な接続関係を示す図である
【図７】図７は、図６に示した２個の画素の一部を示す拡大平面図である。
【図８】図８は、図７の線ＶＩＩＩ−ＶＩＩＩに沿ったアレイ基板を示す断面図である。
【図９】図９は、図７の線ＩＸ−ＩＸに沿った液晶表示パネルを示す断面図である。
【図１０】図１０は、上記第１の実施形態に係る液晶表示装置の駆動方法を説明するための図であり、一画素群を示す平面図である。
【図１１】図１１は、第２の実施形態に係る液晶表示装置の駆動方法を説明するための図であり、一画素群を示す平面図である。
【図１２】図１２は、第３の実施形態に係る液晶表示装置の駆動方法を説明するための図であり、隣合う４個の画素群を示す平面図である。
【図１３】図１３は、第４の実施形態に係る液晶表示装置の駆動方法を説明するための図であり、隣合う２個の画素群を示す平面図である。
【図１４】図１４は、第５の実施形態に係る液晶表示装置の駆動方法を説明するための図であり、一画素群を示す平面図である。
【図１５】図１５は、上記第１の実施形態に係る液晶表示装置の変形例を示す図であり、一画素群を示す平面図である。
【発明を実施するための形態】
【０００８】
以下に、本発明の各実施の形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【０００９】
（第１の実施形態）  
まず、第１の実施形態に係る表示装置及び表示装置の駆動方法について詳細に説明する。  
本実施形態においては、表示装置の一例として、液晶表示装置を開示する。この液晶表示装置は、例えば、スマートフォン、タブレット端末、携帯電話端末、パーソナルコンピュータ、テレビ受像装置、車載装置、ゲーム機器等の種々の装置に用いることができる。なお、本実施形態にて開示する主要な構成は、有機エレクトロルミネッセンス表示素子等を有する自発光型の表示装置、電気泳動素子等を有する電子ペーパ型の表示装置、ＭＥＭＳ（Micro Electro Mechanical Systems）を応用した表示装置、或いはエレクトロクロミズムを応用した表示装置などにも適用可能である。
【００１０】
図１は、液晶表示装置ＤＳＰの構成を示す斜視図である。本実施形態では、第１方向Ｘ及び第２方向Ｙは、互いに直交しているが、９０°以外の角度で交差していてもよい。第３方向Ｚは、第１方向Ｘ及び第２方向Ｙのそれぞれと互いに直交している。ここで言う方向は、図中矢印の指す方向であり、矢印に対して１８０度反転した方向については逆方向とする。  
液晶表示装置ＤＳＰは、アクティブマトリックス型の液晶表示パネルＰＮＬ、液晶表示パネルＰＮＬを駆動する駆動ＩＣチップＩＣ、液晶表示パネルＰＮＬを照明するバックライトユニットＢＬ、制御モジュールＣＭ、フレキシブル配線基板ＦＰＣ１、ＦＰＣ２などを備えている。
【００１１】
液晶表示パネルＰＮＬは、アレイ基板ＡＲと、アレイ基板ＡＲに対向配置された対向基板ＣＴとを備えている。液晶表示パネルＰＮＬは、画像を表示する表示領域ＤＡと、表示領域ＤＡを囲む額縁状の非表示領域ＮＤＡと、を備えている。液晶表示パネルＰＮＬは、表示領域ＤＡにおいて第１方向Ｘ及び第２方向Ｙにマトリクス状に配列された複数の主画素を備えている。以下、主画素を単に画素ＭＰと表現する。画素ＭＰは、後述する３個の副画素のグループに相当する。
【００１２】
バックライトユニットＢＬは、アレイ基板ＡＲの背面に配置されている。このようなバックライトユニットＢＬとしては、種々の形態が適用可能であるが、詳細な構造については説明を省略する。駆動ＩＣチップＩＣは、アレイ基板ＡＲに実装されている。フレキシブル配線基板ＦＰＣ１は、液晶表示パネルＰＮＬと制御モジュールＣＭとを接続している。フレキシブル配線基板ＦＰＣ２は、バックライトユニットＢＬと制御モジュールＣＭとを接続している。
【００１３】
このような構成の液晶表示装置ＤＳＰは、バックライトユニットＢＬから液晶表示パネルＰＮＬに入射する光を各副画素で選択的に透過することによって画像を表示する、いわゆる透過型の液晶表示装置に相当する。但し、液晶表示装置ＤＳＰは、外部から液晶表示パネルＰＮＬに向かって入射する外光を各副画素で選択的に反射することによって画像を表示する反射型の液晶表示装置であってもよいし、透過型及び反射型の双方の機能を備えた半透過型の液晶表示装置であってもよい。
【００１４】
図２は、液晶表示パネルＰＮＬを示す断面図である。  
図２に示すように、液晶表示パネルＰＮＬは、アレイ基板ＡＲ、対向基板ＣＴ、液晶層ＬＱ、シール材ＳＥ、第１光学素子ＯＤ１、第２光学素子ＯＤ２などを備えている。アレイ基板ＡＲ及び対向基板ＣＴの詳細については後述する。
【００１５】
シール材ＳＥは、非表示領域ＮＤＡに配置され、アレイ基板ＡＲと対向基板ＣＴとを貼り合わせている。液晶層ＬＱは、アレイ基板ＡＲと対向基板ＣＴとの間に保持されている。第１光学素子ＯＤ１は、アレイ基板ＡＲの液晶層ＬＱに接する面の反対側に配置されている。第２光学素子ＯＤ２は、対向基板ＣＴの液晶層ＬＱに接する面の反対側に配置されている。第１光学素子ＯＤ１及び第２光学素子ＯＤ２は、それぞれ偏光板を備えている。なお、第１光学素子ＯＤ１及び第２光学素子ＯＤ２は、位相差板などの他の光学素子を含んでいてもよい。
【００１６】
図３は、液晶表示パネルＰＮＬの表示領域ＤＡにおける複数の主画素群の配列の一例を示す図である。以下、主画素群を単に画素群ＭＰＧと表現する。  
図３に示すように、液晶表示パネルＰＮＬは、複数の画素群ＭＰＧを備えている。  
画素群ＭＰＧの単位に注目すると、画素群ＭＰＧは、表示領域ＤＡにて、第１方向Ｘ及び第２方向Ｙにマトリクス状に配列されている。複数の画素群ＭＰＧは、それぞれ９個の画素を有し、互いに同様に形成されている。ここでは、画素群ＭＰＧは、第１種画素Ａ、第２種画素Ｂ、及び第３種画素Ｃの３種類の画素を有している。何れの画素群ＭＰＧも、同様に配列された３個の第１種画素Ａ、３個の第２種画素Ｂ、及び３個の第３種画素Ｃを有している。なお、第１種画素Ａ、第２種画素Ｂ、及び第３種画素Ｃの構成に関しては後述する。
【００１７】
画素の単位に注目すると、第１方向Ｘに、第１種画素Ａ、第２種画素Ｂ、及び第３種画素Ｃは、繰り返し並べられている。第２方向Ｙに、第１種画素Ａ、第３種画素Ｃ、及び第２種画素Ｂは、繰り返し並べられている。そして、同一種類の画素が第１方向Ｘ及び第２方向Ｙに連続して並ぶことがないように、第１種画素Ａ、第２種画素Ｂ、及び第３種画素Ｃは、配列されている。
【００１８】
図４は、複数の画素群ＭＰＧの一部を示す図であり、画素群ＭＰＧの複数の画素ＭＰの配列の一例を示す図である。  
図４に示すように、画素群ＭＰＧの９個の画素ＭＰは、それぞれ３個の副画素ＳＰを有している。各々の画素ＭＰは、白色を表示する１個の副画素ＳＰと、第１色を表示する副画素ＳＰ、第２色を表示する副画素ＳＰ及び第３色を表示する副画素ＳＰのうちの何れか２個の副画素ＳＰと、を有している。ここで、第１色、第２色及び第３色は、白色以外の色であり、互いに異なる色である。本実施形態において、第１色は青色であり、第２色は赤色であり、第３色は緑色である。  
但し、第１色、第２色、及び第３色に関しては、例示的に示したものであり、種々変形可能である。第１色、第２色、及び第３色のうちの何れかの色が赤色であり、別の色が緑色であり、残りの色が青色であればよい。また、上述した第１色乃至第３色は、赤色、緑色及び青色の組み合わせに限定されるものではない。  
上述したことから分かるように、画素ＭＰは、擬似的な画素である。１個の画素ＭＰのみでは、カラー画像を表示することは困難である。そこで、本実施形態において、任意の一画素ＭＰが有していない色の表示の不足分を上記一画素ＭＰを取囲む１個又は２個の画素ＭＰに割り付けることができる。なお、上記１個又は２個の画素ＭＰは、上記一画素ＭＰが有していない色を有している。上記一画素ＭＰによる表示と、上記一画素ＭＰの周囲の１個又は２個の画素ＭＰによる表示とにより、上記一画素ＭＰの分のカラー画像を擬似的に表示することが可能となる。
【００１９】
画素群ＭＰＧは、第１画素ＭＰ１、第２画素ＭＰ２、第３画素ＭＰ３、第４画素ＭＰ４、第５画素ＭＰ５、第６画素ＭＰ６、第７画素ＭＰ７、第８画素ＭＰ８、及び第９画素ＭＰ９を備えている。第１画素ＭＰ１、第８画素ＭＰ８、及び第９画素ＭＰ９は、それぞれ上記第１種画素Ａに相当している。第２画素ＭＰ２、第５画素ＭＰ５、及び第６画素ＭＰ６は、それぞれ上記第２種画素Ｂに相当している。第３画素ＭＰ３、第４画素ＭＰ４、及び第７画素ＭＰ７は、それぞれ上記第３種画素Ｃに相当している。
【００２０】
第１画素ＭＰ１は、第１副画素ＳＰ１と、第２副画素ＳＰ２と、第３副画素ＳＰ３と、を含んでいる。  
第１副画素ＳＰ１は、青色（Ｂ）を表示する第１領域Ｒ１を有し、青色の着色層を備えている。  
第２副画素ＳＰ２は、白色（Ｗ）を表示する第２領域Ｒ２を有し、透明な、或いは薄く色付いた着色層を備えている。このため、第２副画素ＳＰ２の着色層を無着色層と称した方が適当な場合があり得る。第２副画素ＳＰ２は、第１副画素ＳＰ１より第２方向Ｙ側に位置し、第１副画素ＳＰ１と隣合っている。  
第３副画素ＳＰ３は、赤色（Ｒ）を表示する第３領域Ｒ３を有し、赤色の着色層を備えている。第３副画素ＳＰ３は、第１副画素ＳＰ１及び第２副画素ＳＰ２より第１方向Ｘ側に位置し、第１副画素ＳＰ１及び第２副画素ＳＰ２の両方と隣合っている。
【００２１】
第２画素ＭＰ２は、第４副画素ＳＰ４と、第５副画素ＳＰ５と、第６副画素ＳＰ６と、を含んでいる。第２画素ＭＰ２は、第１画素ＭＰ１と一方にて隣合っている。この実施形態において、第２画素ＭＰ２は、第１画素ＭＰ１と第１方向Ｘに隣合っている。  
第４副画素ＳＰ４は、緑色（Ｇ）を表示する第４領域Ｒ４を有し、緑色の着色層を備えている。  
第５副画素ＳＰ５は、白色（Ｗ）を表示する第５領域Ｒ５を有し、透明な、或いは薄く色付いた着色層、或いは無着色層を備えている。第５副画素ＳＰ５は、第４副画素ＳＰ４より第２方向Ｙ側に位置し、第４副画素ＳＰ４と隣合っている。  
第６副画素ＳＰ６は、青色（Ｂ）を表示する第６領域Ｒ６を有し、青色の着色層を備えている。第６副画素ＳＰ６は、第４副画素ＳＰ４及び第５副画素ＳＰ５より第１方向Ｘ側に位置し、第４副画素ＳＰ４及び第５副画素ＳＰ５の両方と隣合っている。
【００２２】
第３画素ＭＰ３は、第７副画素ＳＰ７と、第８副画素ＳＰ８と、第９副画素ＳＰ９と、を含んでいる。第３画素ＭＰ３は、第１画素ＭＰ１と他方にて隣合っている。この実施形態において、第３画素ＭＰ３は、第１画素ＭＰ１と第２方向Ｙに隣合っている。  
第７副画素ＳＰ７は、赤色（Ｒ）を表示する第７領域Ｒ７を有し、赤色の着色層を備えている。  
第８副画素ＳＰ８は、白色（Ｗ）を表示する第８領域Ｒ８を有し、透明な、或いは薄く色付いた着色層、或いは無着色層を備えている。第８副画素ＳＰ８は、第７副画素ＳＰ７より第２方向Ｙ側に位置し、第７副画素ＳＰ７と隣合っている。  
第９副画素ＳＰ９は、緑色（Ｇ）を表示する第９領域Ｒ９を有し、緑色の着色層を備えている。第９副画素ＳＰ９は、第７副画素ＳＰ７及び第８副画素ＳＰ８より第１方向Ｘ側に位置し、第７副画素ＳＰ７及び第８副画素ＳＰ８の両方と隣合っている。
【００２３】
第４画素ＭＰ４は、第３画素ＭＰ３と同様に構成されている。第４画素ＭＰ４は、第７副画素ＳＰ７と、第８副画素ＳＰ８と、第９副画素ＳＰ９と、を含んでいる。第４画素ＭＰ４は、第１画素ＭＰ１と他方にて隣合い、第１画素ＭＰ１及び第２画素ＭＰ２とともに第１方向Ｘに並んでいる。  
第５画素ＭＰ５は、第２画素ＭＰ２と同様に構成されている。第５画素ＭＰ５は、第４副画素ＳＰ４と、第５副画素ＳＰ５と、第６副画素ＳＰ６と、を含んでいる。第５画素ＭＰ５は、第１画素ＭＰ１と他方にて隣合い、第１画素ＭＰ１及び第３画素ＭＰ３とともに第２方向Ｙに並んでいる。
【００２４】
第６画素ＭＰ６は、第２画素ＭＰ２と同様に構成されている。第６画素ＭＰ６は、第４副画素ＳＰ４と、第５副画素ＳＰ５と、第６副画素ＳＰ６と、を含んでいる。第６画素ＭＰ６は、第４画素ＭＰ４と一方にて隣合い、第３画素ＭＰ３と一方にて隣合っている。  
第７画素ＭＰ７は、第３画素ＭＰ３と同様に構成されている。第７画素ＭＰ７は、第７副画素ＳＰ７と、第８副画素ＳＰ８と、第９副画素ＳＰ９と、を含んでいる。第７画素ＭＰ７は、第２画素ＭＰ２と一方にて隣合い、第５画素ＭＰ５と一方にて隣合っている。
【００２５】
第８画素ＭＰ８は、第１画素ＭＰ１と同様に構成されている。第８画素ＭＰ８は、第１副画素ＳＰ１と、第２副画素ＳＰ２と、第３副画素ＳＰ３と、を含んでいる。第８画素ＭＰ８は、第２画素ＭＰ２と他方にて隣合い、第３画素ＭＰ３と他方にて隣合っている。第８画素ＭＰ８は、第３画素ＭＰ３及び第６画素ＭＰ６とともに第１方向Ｘに並んでいる。  
第９画素ＭＰ９は、第１画素ＭＰ１と同様に構成されている。第９画素ＭＰ９は、第１副画素ＳＰ１と、第２副画素ＳＰ２と、第３副画素ＳＰ３と、を含んでいる。第９画素ＭＰ９は、第４画素ＭＰ４と他方にて隣合い、第５画素ＭＰ５と他方にて隣合っている。第９画素ＭＰ９は、第５画素ＭＰ５及び第７画素ＭＰ７とともに第１方向Ｘに並んでいる。
【００２６】
本明細書では、一例として、３８０ｎｍ乃至７８０ｎｍの波長範囲の光を「可視光」として定義する。「青色」は、３８０ｎｍ以上４９０ｎｍ未満の第１波長範囲内に透過率ピークを有する色と定義する。「緑色」は、４９０ｎｍ以上５９０ｎｍ未満の第２波長範囲内に透過率ピークを有する色と定義する。「赤色」は、５９０ｎｍ以上７８０ｎｍ以下の第３波長範囲内に透過率ピークを有する色と定義する。「実質的に透明」とは、無着色である場合に加えて、可視光におけるいずれかの色に薄く着色された場合も包含する。
【００２７】
図４に示す例では、第１画素ＭＰ１乃至第９画素ＭＰ９の何れにおいても、第１副画素ＳＰ１、第２副画素ＳＰ２、第４副画素ＳＰ４、第５副画素ＳＰ５、第７副画素ＳＰ７、及び第８副画素ＳＰ８は、ほぼ同一の第１面積を有し、第３副画素ＳＰ３、第６副画素ＳＰ６、及び第９副画素ＳＰ９は、第１面積よりも大きい第２面積を有している。例えば、第２面積は第１面積の約２倍である。
【００２８】
例えば、第１副画素ＳＰ１、第２副画素ＳＰ２、第３副画素ＳＰ３、第４副画素ＳＰ４、第５副画素ＳＰ５、第６副画素ＳＰ６、第７副画素ＳＰ７、第８副画素ＳＰ８、及び第９副画素ＳＰ９の第１方向Ｘにおける幅は略同一である。第３副画素ＳＰ３、第６副画素ＳＰ６、及び第９副画素ＳＰ９の第２方向Ｙにおける長さは、第１副画素ＳＰ１、第２副画素ＳＰ２、第４副画素ＳＰ４、第５副画素ＳＰ５、第７副画素ＳＰ７、及び第８副画素ＳＰ８の第２方向Ｙにおける長さの約２倍である。
【００２９】
第３領域Ｒ３、第６領域Ｒ６及び第９領域Ｒ９のそれぞれの面積は、第１領域Ｒ１、第２領域Ｒ２、第４領域Ｒ４、第５領域Ｒ５、第７領域Ｒ７及び第８領域Ｒ８のそれぞれの面積より大きい。なお、第１領域Ｒ１乃至第９領域Ｒ９は、それぞれ、副画素ＳＰの開口面積や副画素ＳＰの光透過面積と言い換えることができる。  
なお、第３領域Ｒ３、第６領域Ｒ６及び第９領域Ｒ９は、互いに異なる面積を有していてもよい。第１領域Ｒ１、第２領域Ｒ２、第４領域Ｒ４、第５領域Ｒ５、第７領域Ｒ７及び第８領域Ｒ８も、互いに異なる面積を有していてもよい。
【００３０】
上記のように各々の画素ＭＰを構成することにより、画素ＭＰを赤色（Ｒ）、緑色（Ｇ）、青色（Ｂ）、及び白色（Ｗ）の４個の副画素で構成する場合と比較して、画素ＭＰを構成する副画素ＳＰの個数を少なくすることができる。これにより、実効的な解像度を落とすことなく画素ＭＰの開口率を向上することが可能となる。また、各々の画素ＭＰは、白色（Ｗ）の副画素ＳＰを有しているため、表示画像の輝度レベルの向上を図ることができる。
【００３１】
上記着色層については、それぞれ上記の副画素ＳＰのレイアウトに従って配置され、また、それぞれの副画素ＳＰのサイズに応じた面積を有している。着色層は、それぞれ島状に形成されている。複数の副画素ＳＰのうち小サイズの副画素ＳＰに注目すると、青色の第１副画素ＳＰ１の着色層、白色の第２副画素ＳＰ２の着色層、赤色の第７副画素ＳＰ７の着色層、白色の第８副画素ＳＰ８の着色層、緑色の第４副画素ＳＰ４の着色層、及び白色の第５副画素ＳＰ５の着色層は、第２方向Ｙに繰り返し並べられている。一方で、複数の副画素ＳＰのうち相対的に大サイズの副画素ＳＰに注目すると、赤色の第３副画素ＳＰ３の着色層、緑色の第９副画素ＳＰ９の着色層、及び青色の第６副画素ＳＰ６の着色層は、第２方向Ｙに繰り返し並べられている。
【００３２】
第１副画素ＳＰ１、第２副画素ＳＰ２、第４副画素ＳＰ４、第５副画素ＳＰ５、第７副画素ＳＰ７、及び第８副画素ＳＰ８の着色層は、ほぼ同一の第１面積を有している。第３副画素ＳＰ３、第６副画素ＳＰ６、及び第９副画素ＳＰ９の着色層は、第１面積よりも大きく、ほぼ同一の第２面積を有している。例えば、第２面積は第１面積の約２倍である。
【００３３】
また、上記の副画素ＳＰの形状は、図示したような第２方向Ｙに延在した長方形の例に限らず、略平行四辺形などであってもよい。例えば、副画素ＳＰの形状が略平行四辺形の場合、多くのドメインを形成することが可能となり、視野角特性に関して補償することができる。
【００３４】
本実施形態において、第５画素ＭＰ５が上側、第３画素ＭＰ３が下側となるＸ−Ｙ平面視において、各々の画素ＭＰの左側に小サイズの２個副画素ＳＰが位置し、各々の画素ＭＰの右側に大サイズの１個の副画素ＳＰが位置している。但し、副画素ＳＰの配置に関しては例示的に示したものであり、図４に示した例に限定されるものではない。例えば、上記Ｘ−Ｙ平面視において、各々の画素ＭＰの右側に小サイズの２個副画素ＳＰが位置し、各々の画素ＭＰの左側に大サイズの１個の副画素ＳＰが位置していてもよい。
【００３５】
図５は、アレイ基板ＡＲの構成を示す平面図である。  
図５に示すように、アレイ基板ＡＲは、走査線Ｇ、信号線Ｓ、画素電極ＰＥ、スイッチング素子ＳＷ、第１駆動回路ＤＲ１、第２駆動回路ＤＲ２などを備えている。  
複数の走査線Ｇは、表示領域ＤＡにおいて、第１方向Ｘに延在し、第２方向Ｙに間隔を置いて並んでいる。この実施形態において、走査線Ｇは、第１方向Ｘに直線的に延在している。複数の信号線Ｓは、表示領域ＤＡにおいて、第２方向Ｙに延在し、複数の走査線Ｇと交差し、第１方向Ｘに間隔を置いて並んでいる。なお、信号線Ｓは、必ずしも直線的に延出していなくてもよく、一部が屈曲していたり、第１方向Ｘ及び第２方向Ｙに交差する方向に延出していたりしてもよい。画素電極ＰＥ及びスイッチング素子ＳＷは、各副画素ＳＰに配置されている。スイッチング素子ＳＷは、走査線Ｇ及び信号線Ｓと電気的に接続されている。画素電極ＰＥは、スイッチング素子ＳＷと電気的に接続されている。
【００３６】
図示した例において、各々の画素ＭＰは、３個の副画素ＳＰを含んでいる。このような３個の副画素ＳＰを含む画素ＭＰには、３本の信号線Ｓと、２本の走査線Ｇとが割り当てられている。但し、第２方向Ｙに隣合う画素ＭＰの間に位置する走査線Ｇは、上記隣合う画素ＭＰの間で共用されている。
【００３７】
第１駆動回路ＤＲ１及び第２駆動回路ＤＲ２は、非表示領域ＮＤＡに配置されている。第１駆動回路ＤＲ１は、非表示領域ＮＤＡに引き出された走査線Ｇと電気的に接続されている。第２駆動回路ＤＲ２は、非表示領域ＮＤＡに引き出された信号線Ｓと電気的に接続されている。第１駆動回路ＤＲ１は、各走査線Ｇに制御信号を出力する。第２駆動回路ＤＲ２は、各信号線Ｓに画像信号（例えば、映像信号）を出力する。
【００３８】
図６は、液晶表示パネルＰＮＬの２個の画素ＭＰ（ＭＰ１，ＭＰ２）を示す構成図である。図６では、走査線Ｇ、信号線Ｓ、スイッチング素子ＳＷ及び画素電極ＰＥの電気的な接続関係も示している。  
なお、図示した例では、画素ＭＰは、表示モードとしてＦＦＳ（Fringe Field Switching）モードに対応した構成を有しているが、共通電極の図示は省略している。走査線Ｇ、信号線Ｓは、上記のアレイ基板に形成される一方で、遮光層ＳＨは、上記の対向基板に形成される。なお、遮光層ＳＨは、図中に二点鎖線で示している。
【００３９】
図６に示すように、第１副画素ＳＰ１は、信号線Ｓ１及び走査線Ｇ１と電気的に接続されたスイッチング素子ＳＷ１と、スイッチング素子ＳＷ１と電気的に接続された画素電極ＰＥ１と、を備えている。  
第２副画素ＳＰ２は、信号線Ｓ２及び走査線Ｇ２と電気的に接続されたスイッチング素子ＳＷ２と、スイッチング素子ＳＷ２と電気的に接続された画素電極ＰＥ２と、を備えている。  
第３副画素ＳＰ３は、信号線Ｓ３及び走査線Ｇ１と電気的に接続されたスイッチング素子ＳＷ３と、スイッチング素子ＳＷ３と電気的に接続された画素電極ＰＥ３と、を備えている。
【００４０】
第７副画素ＳＰ７は、信号線Ｓ１及び走査線Ｇ２と電気的に接続されたスイッチング素子ＳＷ７と、スイッチング素子ＳＷ７と電気的に接続された画素電極ＰＥ７と、を備えている。  
第８副画素ＳＰ８は、信号線Ｓ２及び走査線Ｇ３と電気的に接続されたスイッチング素子ＳＷ８と、スイッチング素子ＳＷ８と電気的に接続された画素電極ＰＥ８と、を備えている。  
第９副画素ＳＰ９は、信号線Ｓ３及び走査線Ｇ２と電気的に接続されたスイッチング素子ＳＷ９と、スイッチング素子ＳＷ９と電気的に接続された画素電極ＰＥ９と、を備えている。
【００４１】
副画素ＳＰ、走査線Ｇ及び信号線Ｓに注目すると、第１副画素ＳＰ１、第２副画素ＳＰ２、第７副画素ＳＰ７、及び第８副画素ＳＰ８は、信号線Ｓ１と信号線Ｓ２との間に形成されている。第１副画素ＳＰ１及び第２副画素ＳＰ２は、何れの走査線Ｇも介在することなく第２方向Ｙに隣合っている。第２副画素ＳＰ２及び第７副画素ＳＰ７は、走査線Ｇ２を挟んで第２方向Ｙに隣合っている。第７副画素ＳＰ７及び第８副画素ＳＰ８は、何れの走査線Ｇも介在することなく第２方向Ｙに隣合っている。第３副画素ＳＰ３及び第９副画素ＳＰ９は、信号線Ｓ２と信号線Ｓ３との間に形成されている。第３副画素ＳＰ３及び第９副画素ＳＰ９は、走査線Ｇ２を挟んで第２方向Ｙに隣合っている。走査線Ｇ１乃至Ｇ３は、何れの副画素ＳＰも横切ることなく形成されている。第３副画素ＳＰ３は、信号線Ｓ２を挟んで、第１副画素ＳＰ１及び第２副画素ＳＰ２と第１方向Ｘに隣合っている。第９副画素ＳＰ９は、信号線Ｓ２を挟んで、第７副画素ＳＰ７及び第８副画素ＳＰ８と第１方向Ｘに隣合っている。
【００４２】
一方、画素電極ＰＥ、走査線Ｇ及び信号線Ｓに注目すると、画素電極ＰＥ１、画素電極ＰＥ２、画素電極ＰＥ７、及び画素電極ＰＥ８は、信号線Ｓ１と信号線Ｓ２との間に位置している。画素電極ＰＥ１及び画素電極ＰＥ２は、何れの走査線も介在することなく第２方向Ｙに隣合っている。画素電極ＰＥ２及び画素電極ＰＥ７は、走査線Ｇ２を挟んで第２方向Ｙに隣合っている。画素電極ＰＥ７及び画素電極ＰＥ８は、何れの走査線も介在することなく第２方向Ｙに隣合っている。画素電極ＰＥ３及び画素電極ＰＥ９は、信号線Ｓ２と信号線Ｓ３との間に位置している。画素電極ＰＥ３及び画素電極ＰＥ９は、走査線Ｇ２を挟んで第２方向Ｙに隣合っている。走査線Ｇ１乃至Ｇ３は、何れの画素電極ＰＥも横切ることなく形成されている。画素電極ＰＥ３は、信号線Ｓ２を横切って、画素電極ＰＥ１及び画素電極ＰＥ２と第１方向Ｘに隣合っている。画素電極ＰＥ９は、信号線Ｓ２を横切って、画素電極ＰＥ７及び画素電極ＰＥ８と第１方向Ｘに隣合っている。
【００４３】
遮光層ＳＨは、副画素ＳＰの境界に沿った形状を有し、複数の帯状の延出部で形成されている。遮光層ＳＨは、走査線Ｇ１乃至Ｇ３などの複数の走査線Ｇと、信号線Ｓ１乃至Ｓ４などの複数の信号線Ｓと対向している。簡略化して図示した各スイッチング素子についても、遮光層ＳＨと対向している。また、走査線Ｇ及び信号線Ｓと対向していない領域であるが、第１副画素ＳＰ１と第２副画素ＳＰ２との間の領域や、第７副画素ＳＰ７と第８副画素ＳＰ８との間の領域にも、遮光層ＳＨ（延出部）が位置している。
【００４４】
このような遮光層ＳＨによって囲まれた領域は、表示に寄与する領域となる。遮光層ＳＨにおいて、２本の信号線Ｓと対向する位置の第１方向Ｘの幅は、１本の信号線Ｓと対向する位置の第１方向Ｘの幅よりも大きい。また、遮光層ＳＨにおいて、走査線Ｇと対向する位置の第２方向Ｙの幅は、第１副画素ＳＰ１と第２副画素ＳＰ２との間の第２方向Ｙの幅よりも大きく、第７副画素ＳＰ７と第８副画素ＳＰ８との間の第２方向Ｙの幅よりも大きい。
【００４５】
なお、第１画素ＭＰ１が上側、第３画素ＭＰ３が下側となるＸ−Ｙ平面視において、本実施形態と異なり、大サイズの副画素ＳＰの画素電極ＰＥは下側の走査線Ｇに電気的に接続されていてもよい。例えば、画素電極ＰＥ３がスイッチング素子ＳＷ３を介して走査線Ｇ２に電気的に接続され、画素電極ＰＥ９がスイッチング素子ＳＷ９を介して走査線Ｇ３に電気的に接続されていてもよい。  
さらに、本実施形態と異なり、第１方向Ｘに隣合う画素ＭＰの間に１本の信号線Ｓが位置し、画素ＭＰにおいて第１方向Ｘに隣合う副画素ＳＰの間に２本の信号線Ｓが位置していてもよい。
【００４６】
図７は、図６に示した２個の画素の一部を示す拡大平面図である。図７には、第１画素ＭＰ１の第１副画素ＳＰ１及び第３副画素ＳＰ３と、第５画素ＭＰ５の第５副画素ＳＰ５及び第６副画素ＳＰ６と、を示している。  
図７に示すように、各副画素ＳＰは導電層ＣＬを備えている。第１副画素ＳＰ１は、信号線Ｓ１と信号線Ｓ２との間に位置した導電層ＣＬ１を備えている。第３副画素ＳＰ３は、信号線Ｓ２と信号線Ｓ３との間に位置した導電層ＣＬ３を備えている。第５副画素ＳＰ５は、信号線Ｓ１と信号線Ｓ２との間に位置した導電層ＣＬ５を備えている。導電層ＣＬ５は、走査線Ｇ１に対して導電層ＣＬ１の反対側に位置している。
【００４７】
画素電極ＰＥ１は、コンタクトホールＣＨ１を通って導電層ＣＬ１に接し、スイッチング素子ＳＷ１に電気的に接続されている。画素電極ＰＥ３は、コンタクトホールＣＨ３を通って導電層ＣＬ３に接し、スイッチング素子ＳＷ３に電気的に接続されている。画素電極ＰＥ５は、コンタクトホールＣＨ５を通って導電層ＣＬ５に接し、スイッチング素子ＳＷ５に電気的に接続されている。
【００４８】
各スイッチング素子ＳＷは半導体層ＳＣを備えている。  
スイッチング素子ＳＷ１は、半導体層ＳＣ１を有している。半導体層ＳＣ１は、信号線Ｓ１に電気的に接続された第１領域ＳＣ１ａと、導電層ＣＬ１を介して画素電極ＰＥ１に電気的に接続された第２領域ＳＣ１ｂと、第１領域ＳＣ１ａとＳＣ１ｂとの間に位置した第３領域ＳＣ１ｃと、を有している。  
スイッチング素子ＳＷ３は、半導体層ＳＣ３を有している。半導体層ＳＣ３は、信号線Ｓ３に電気的に接続された第１領域ＳＣ３ａと、導電層ＣＬ３を介して画素電極ＰＥ３に電気的に接続された第２領域ＳＣ３ｂと、第１領域ＳＣ３ａと第２領域ＳＣ３ｂとの間に位置した第３領域ＳＣ３ｃと、を有している。  
スイッチング素子ＳＷ５は、半導体層ＳＣ５を有している。半導体層ＳＣ５は、信号線Ｓ２に電気的に接続された第１領域ＳＣ５ａと、導電層ＣＬ５を介して画素電極ＰＥ５に電気的に接続された第２領域ＳＣ５ｂと、第１領域ＳＣ５ａと第２領域ＳＣ５ｂとの間に位置した第３領域ＳＣ５ｃと、を有している。  
本実施形態において、第３領域ＳＣ１ｃ，ＳＣ３ｃ，ＳＣ５ｃは、走査線Ｇ１と２個所で交差している。このため、スイッチング素子ＳＷは、それぞれダブルゲート型の薄膜トランジスタで形成されている。
【００４９】
画素電極ＰＥ１は、櫛歯電極Ｔ１を有している。画素電極ＰＥ３は、櫛歯電極Ｔ３を有している。画素電極ＰＥ５は、櫛歯電極Ｔ５を有している。画素電極ＰＥ６は、櫛歯電極Ｔ６を有している。櫛歯電極Ｔ１及びＴ３は、互いに平行に延出し、図示した例では、第２方向Ｙに延出している。櫛歯電極Ｔ５及びＴ６は、互いに平行に延出し、図示した例では、第２方向Ｙに延出している。これらの櫛歯電極Ｔ１，Ｔ３，Ｔ５，Ｔ６のうち、櫛歯電極Ｔ１，Ｔ３，Ｔ５は、走査線Ｇ１から離れる側に向かって延出している。
【００５０】
図８は、図７の線ＶＩＩＩ−ＶＩＩＩに沿ったアレイ基板ＡＲを示す断面図である。  
図８に示すように、アレイ基板ＡＲは、ガラス基板や樹脂基板などの光透過性を有する第１絶縁基板１０を用いて形成されている。アレイ基板ＡＲは、第１絶縁膜１１、第２絶縁膜１２、第３絶縁膜１３、第４絶縁膜１４、第５絶縁膜１５、スイッチング素子ＳＷ１、画素電極ＰＥ１、共通電極ＣＥ、第１配向膜ＡＬ１などを備えている。図示した例では、スイッチング素子ＳＷ１は、トップゲート構造であるが、ボトムゲート構造であってもよい。
【００５１】
第１絶縁膜１１は、第１絶縁基板１０の上に形成されている。スイッチング素子ＳＷ１の半導体層ＳＣ１は、第１絶縁膜１１の上に形成されている。半導体層ＳＣ１は、例えば、多結晶シリコンによって形成されているが、非晶質シリコンや、酸化物半導体などによって形成されていてもよい。
【００５２】
第２絶縁膜１２は、第１絶縁膜１１及び半導体層ＳＣ１の上に形成されている。走査線Ｇ１は、第２絶縁膜１２上に形成され、その２個所で半導体層ＳＣ１と対向している。第３絶縁膜１３は、走査線Ｇ１及び第２絶縁膜１２の上に形成されている。信号線Ｓ１及び導電層ＣＬ１は、第３絶縁膜１３の上に形成されている。信号線Ｓ１は、第２絶縁膜１２及び第３絶縁膜１３を貫通するコンタクトホールを通って半導体層ＳＣ１にコンタクトしている。導電層ＣＬ１は、第２絶縁膜１２及び第３絶縁膜１３を貫通する他のコンタクトホールを通って半導体層ＳＣ１にコンタクトしている。
【００５３】
第４絶縁膜１４は、第３絶縁膜１３、信号線Ｓ１及び導電層ＣＬ１の上に形成されている。共通電極ＣＥは、第４絶縁膜１４の上に形成されている。第５絶縁膜１５は、第４絶縁膜１４及び共通電極ＣＥの上に形成されている。第１絶縁膜１１、第２絶縁膜１２、第３絶縁膜１３、及び、第５絶縁膜１５は、例えばシリコン窒化物（ＳｉＮ）やシリコン酸化物（ＳｉＯ）などの無機材料によって形成されている。第４絶縁膜１４は、例えばアクリル樹脂などの有機材料によって形成されている。
【００５４】
画素電極ＰＥ１は、第５絶縁膜１５の上に形成されている。画素電極ＰＥ１は、第４絶縁膜１４及び第５絶縁膜１５を貫通するコンタクトホールＣＨ１を通って導電層ＣＬ１にコンタクトしている。共通電極ＣＥ及び画素電極ＰＥ１は、導電材料で形成されている。例えば、共通電極ＣＥ及び画素電極ＰＥ１は、インジウム・ジンク・オキサイド（ＩＺＯ）やインジウム・ティン・オキサイド（ＩＴＯ）などの透明導電材料によって形成されている。第１配向膜ＡＬ１は、第５絶縁膜１５及び画素電極ＰＥ１の上に形成されている。第１配向膜ＡＬ１は、例えば、水平配向性を示す材料によって形成されている。
【００５５】
図９は、図７の線ＩＸ−ＩＸに沿った液晶表示パネルＰＮＬを示す断面図である。  
図９に示すように、アレイ基板ＡＲにおいて、半導体層ＳＣ３は第１絶縁膜１１の上に形成され、第２絶縁膜１２によって覆われている。走査線Ｇ１は、第２絶縁膜１２の上に形成され、第３絶縁膜１３によって覆われている。信号線Ｓ１，Ｓ２は、第３絶縁膜１３の上に形成され、第４絶縁膜１４によって覆われている。共通電極ＣＥは、第４絶縁膜１４の上に形成され、第５絶縁膜１５によって覆われている。なお、図示した例では、共通電極ＣＥは、走査線Ｇ１及び信号線Ｓ１，Ｓ２と対向する位置にも延在している。画素電極ＰＥ１、画素電極ＰＥ３、画素電極ＰＥ５及び画素電極ＰＥ６は、第５絶縁膜１５の上に形成され、第１配向膜ＡＬ１によって覆われている。
【００５６】
対向基板ＣＴは、ガラス基板や樹脂基板などの光透過性を有する第２絶縁基板２０を用いて形成されている。対向基板ＣＴは、遮光層ＳＨ、カラーフィルタＣＦ、オーバーコート層ＯＣ、第２配向膜ＡＬ２などを備えている。カラーフィルタＣＦは、色及びサイズの異なる複数の着色層を有している。  
遮光層ＳＨは、第２絶縁基板２０のアレイ基板ＡＲと対向する側に形成されている。遮光層ＳＨは、走査線Ｇ１及び信号線Ｓ１，Ｓ２と対向する位置に形成されている。
【００５７】
着色層ＣＦ１は、画素電極ＰＥ１と対向している。着色層ＣＦ３は、画素電極ＰＥ３と対向している。着色層ＣＦ５は、画素電極ＰＥ５と対向している。着色層ＣＦ６は、画素電極ＰＥ６と対向している。着色層ＣＦ１，ＣＦ３，ＣＦ５，ＣＦ６のそれぞれの端部は、遮光層ＳＨと重なっている。上記の通り、例えば着色層ＣＦ１は青色の着色層であり、着色層ＣＦ３は赤色の着色層であり、着色層ＣＦ５は透明な着色層であり、着色層ＣＦ６は青色の着色層である。
【００５８】
オーバーコート層ＯＣは、透明な樹脂材料によって形成され、着色層ＣＦ１，ＣＦ３，ＣＦ５，ＣＦ６を覆っている。第２配向膜ＡＬ２は、オーバーコート層ＯＣのアレイ基板ＡＲと対向する側に形成されている。配向膜ＡＬ２は、水平配向性を示す材料によって形成されている。  
なお、図示した例では、カラーフィルタＣＦは、対向基板ＣＴに形成されたが、アレイ基板ＡＲに形成されていてもよい。また、カラーフィルタＣＦは、透明な着色層無しに形成することができ得る。  
本実施形態に係る液晶表示装置ＤＳＰは、上述したように形成されている。
【００５９】
次に、本実施形態に係る液晶表示装置ＤＳＰの駆動部について説明する。  
上記第１駆動回路ＤＲ１及び第２駆動回路ＤＲ２は、複数の信号線Ｓ及び複数の走査線Ｇを駆動する駆動部として機能している。本実施形態において、第２駆動回路ＤＲ２は、駆動ＩＣチップＩＣの内部に形成されている。但し、信号線Ｓ及び走査線Ｇを駆動する駆動部としては、上記第１駆動回路ＤＲ１及び第２駆動回路ＤＲ２に限定されるものではなく、種々変形可能である。例えば、上記駆動部は、駆動ＩＣチップＩＣ又は制御モジュールＣＭで形成されていてもよい。また、上記駆動部は、第１駆動回路ＤＲ１、駆動ＩＣチップＩＣ（第２駆動回路ＤＲ２）、及び制御モジュールＣＭ以外の回路やモジュールで形成されていてもよい。  
駆動部は、複数の信号線Ｓを介して第１画素ＭＰ１乃至第９画素ＭＰ９の第１副画素ＳＰ１乃至第９副画素ＳＰ９に画像信号を与える。
【００６０】
次に、本実施形態に係る液晶表示装置ＤＳＰの駆動方法について説明する。ここでは、第１画素ＭＰ１で緑色の表示が不足する場合、第１画素ＭＰ１に隣合う画素ＭＰが緑色の表示の不足分を受け持つことにより、第１画素ＭＰ１の画像の表示を補完する方法について説明する。なお、次に説明する駆動方法は、第１画素ＭＰ１以外の画素ＭＰで上記画素ＭＰに存在しない色の表示が不足する場合の駆動方法にも同様に適用可能である。
【００６１】
図１０は、本実施形態に係る液晶表示装置ＤＳＰの駆動方法を説明するための図であり、一画素群ＭＰＧを示す平面図である。  
図１０に示すように、第１画素ＭＰ１は、青色の第１副画素ＳＰ１と、白色の第２副画素ＳＰ２と、赤色の第３副画素ＳＰ３と、を有しているが、緑色の副画素ＳＰを有していない。このため、第１画素ＭＰ１のみで所望の画像を表示することが困難な場合がある。そこで、第１画素ＭＰ１で緑色の表示が不足する場合、駆動部は、第１画素ＭＰ１に隣合う第２画素ＭＰ２、第３画素ＭＰ３、第４画素ＭＰ４、及び第５画素ＭＰ５のうちの緑色を表示する１個又は２個の副画素ＳＰである割付対象副画素に与える画像信号の電圧値を調整する。本実施形態において、割付対象副画素は、第２画素ＭＰ２の第４副画素ＳＰ４、第３画素ＭＰ３の第９副画素ＳＰ９、第４画素ＭＰ４の第９副画素ＳＰ９、及び第５画素ＭＰ５の第４副画素ＳＰ４のうちの１個又は２個である。電圧値が調整された画像信号は、信号線Ｓを介して画素電極ＰＥに与えられる。これにより、第１画素ＭＰ１における緑色の表示の不足分を割付対象副画素に割り付けることができ、第１画素ＭＰ１の画像の表示を補完することができる。
【００６２】
例えば、第１画素ＭＰ１、第２画素ＭＰ２、及び第３画素ＭＰ３の３個の画素ＭＰに注目した場合、割付対象副画素は、第２画素ＭＰ２の第４副画素ＳＰ４及び第３画素ＭＰ３の第９副画素ＳＰ９の少なくとも一方である。そして、割付対象副画素を調整することにより、緑色の輝度レベルを調整することができる。例えば、割付対象副画素として２個の大サイズの第９副画素ＳＰ９を選択した場合、割付対象副画素として１個の大サイズの第９副画素ＳＰ９を選択した場合と比較して、緑色の輝度レベルを約２倍に引き上げることができ得る。割付対象副画素として１個の小サイズの第４副画素ＳＰ４を選択した場合、割付対象副画素として１個の大サイズの第９副画素ＳＰ９を選択した場合と比較して、緑色の輝度レベルを約２分の１に引き下げることができ得る。
【００６３】
上記のように構成された第１の実施形態に係る液晶表示装置ＤＳＰ及び液晶表示装置ＤＳＰの駆動方法によれば、液晶表示装置ＤＳＰは、第１方向Ｘに並んだ複数の信号線Ｓと、第２方向Ｙに並んだ複数の走査線Ｇと、第１画素ＭＰ１と、第２画素ＭＰ２と、第３画素ＭＰ３と、を備えている。第１画素ＭＰ１は、青色（第１色）を表示する第１副画素ＳＰ１と、白色を表示する第２副画素ＳＰ２と、赤色（第２色）を表示する第３副画素ＳＰ３と、を含んでいる。第２画素ＭＰ２は、第１画素ＭＰ１と一方にて隣合い、緑色（第３色）を表示する第４副画素ＳＰ４と、白色を表示する第５副画素ＳＰ５と、青色（第１色）を表示する第６副画素ＳＰ６と、を含んでいる。第３画素ＭＰ３は、第１画素ＭＰ１と他方にて隣合い、赤色（第２色）を表示する第７副画素ＳＰ７と、白色を表示する第８副画素ＳＰ８と、緑色（第３色）を表示する第９副画素ＳＰ９と、を含んでいる。
【００６４】
画素ＭＰを、赤色、緑色、青色及び白色の４個の副画素ＳＰで構成する場合と比較して、画素ＭＰを構成する副画素ＳＰの個数を少なくすることができる。副画素ＳＰの面積に対する信号線Ｓや遮光層ＳＨの比率が低くなるため、実効的な解像度を落とすことなく開口率（表示に寄与する面積の割合）を向上することができる。  
各々の画素ＭＰは、白色（Ｗ）であり、小サイズの副画素ＳＰを有している。このため、実効的な解像度を落とすことなく、表示画像の輝度レベルの向上を図ることができる。そして、高輝度かつ高精細の液晶表示装置ＤＳＰを得ることができる。
【００６５】
第１画素ＭＰ１で緑色の表示が不足する場合、駆動部は、第１画素ＭＰ１に隣合う画素ＭＰ２，ＭＰ３，ＭＰ４，ＭＰ５のうち緑色を表示する割付対象副画素に与える画像信号の電圧値を調整することができる。第１画素ＭＰ１における緑色の表示の不足分を割付対象副画素に割り付けることができるため、第１画素ＭＰ１の画像の表示を補完することができる。
【００６６】
割付対象副画素は、第１画素ＭＰ１に隣合う画素ＭＰから選択している。このため、割付対象副画素を第１画素ＭＰ１に隣合っていない画素ＭＰから選択する場合と比較して、色味の崩れが少ない画像を表示することができ、画像の輪郭のシャープネスを高くすることができる。例えば、複数の画素ＭＰを、赤色の副画素及び緑色の副画素の２個の副画素を有する第１画素と、青色の副画素及び白色の副画素の２個の副画素を有する第２画素と、の２種類で形成する場合と比較して、画像の輪郭のシャープネスを高くすることができる。
【００６７】
上記割付対象副画素を１個の副画素ＳＰのみとすることにより、第１画素ＭＰ１の分の画像を表示する領域の拡大を抑制することができるため、シャープネスの高い画像を表示することができる。  
一方、上記割付対象副画素を２個の副画素ＳＰとすることにより、第１画素ＭＰ１の分の画像を表示する領域を拡大し、輝度分布を分散させることができるため、シャギーの生じ難い画像を表示することができる。
【００６８】
割付対象副画素を２個の副画素ＳＰとした場合、割付対象副画素に対する輝度の割り付け量は可変である。割付対象副画素である２個の副画素ＳＰに、第１画素ＭＰ１における緑色の表示の不足分を全て割り付けることができればよく、上記緑色の表示の不足分は、上記２個の副画素ＳＰにランダムに割り付けることが可能である。例えば、１フレーム期間毎に、割り付け量を変えてもよい。または、１フレーム期間毎に、割付対象副画素を替えてもよい。これにより、画像の輪郭に生じ得る色づきを低減したり、画像に生じ得るモアレを低減したり、することができる。
【００６９】
また、上述したように、各々の画素ＭＰは、白色の副画素ＳＰを備えているため、画像を表示する際、白色の副画素ＳＰを優先的に駆動し、白色を優先的に点灯（表示）することができる。輝度空間の広がりを防ぐことができるため、シャープネスの高い画像を表示することができる。  
但し、表示した画像に粒粒のパターンが視認される事態を回避するために、白色の副画素ＳＰの駆動を調整し、白色の輝度レベルを調整してもよい。  
上述したことから、第１の実施形態において、表示品位に優れた液晶表示装置ＤＳＰ及び液晶表示装置ＤＳＰの駆動方法を得ることができる。そして、シャープネスの低下が小さい、高輝度かつ高精細の液晶表示装置ＤＳＰ及びその駆動方法を得ることができる。
【００７０】
（第２の実施形態）  
次に、第２の実施形態に係る液晶表示装置ＤＳＰ及び液晶表示装置ＤＳＰの駆動方法について説明する。本実施形態に係る液晶表示装置ＤＳＰは、上述した第１の実施形態に係る液晶表示装置ＤＳＰと同様に構成されている。  
本実施形態に係る液晶表示装置ＤＳＰの駆動方法について説明する。ここでは、第１画素ＭＰ１で緑色の表示が不足する場合、第１画素ＭＰ１に隣合う画素ＭＰの小サイズの副画素ＳＰが緑色の表示の不足分を優先的に受け持つことにより、第１画素ＭＰ１の画像の表示を補完する方法について説明する。なお、次に説明する駆動方法は、第１画素ＭＰ１以外の画素ＭＰで上記画素ＭＰに存在しない色の表示が不足する場合の駆動方法にも同様に適用可能である。
【００７１】
図１１は、本実施形態に係る液晶表示装置ＤＳＰの駆動方法を説明するための図であり、一画素群ＭＰＧを示す平面図である。  
図１１に示すように、第１画素ＭＰ１は、緑色の副画素ＳＰを有していない。このため、第１画素ＭＰ１のみで所望の画像を表示することが困難な場合がある。そこで、第１画素ＭＰ１で緑色の表示が不足する場合、駆動部は、まず、緑色の表示の不足分を第１画素ＭＰ１に隣合う第２画素ＭＰ２の第４副画素ＳＰ４、又は第５画素ＭＰ５の第４副画素ＳＰ４で補完することができるかどうか判断する。すなわち、第１画素ＭＰ１に隣合う画素ＭＰのうち緑色を表示する小サイズの副画素で補完することができるかどうか判断する。
【００７２】
駆動部は、第２画素ＭＰ２又は第５画素ＭＰ５の第４副画素ＳＰ４で補完することができると判断した際、上記第４副画素ＳＰ４に与える画像信号の電圧値を調整する。これにより、第１画素ＭＰ１における緑色の表示の不足分を上記第４副画素ＳＰ４に優先的に割り付けることができ、第１画素ＭＰ１の画像の表示を補完することができる。  
上記のように割付対象副画素を１個の小サイズの副画素ＳＰのみとすることにより、第１画素ＭＰ１の分の画像を表示する領域の拡大を抑制することができる。そして、輝度分布の拡大を抑制することができるため、シャープネスの高い画像を表示することができる。
【００７３】
ここで、（１）第１画素ＭＰ１における緑色の表示の不足分を、第２画素ＭＰ２の第４副画素ＳＰ４及び第５画素ＭＰ５の第４副画素ＳＰ４の何れにおいても補完することができ、かつ、（２）第１画素ＭＰ１が表示画像の輪郭部に位置している場合、駆動部は、上記不足分をどちらの第４副画素ＳＰ４に割り付けた方が画像にシャギーが生じ難いかを判定し、割り付け先を決定してもよい。ここで、上記「画像にシャギーが生じ難いかを判定」を「画像の輝度分布が不連続になり難くなるかを判定」と言い換えることができる。
【００７４】
一方、駆動部は、第２画素ＭＰ２又は第５画素ＭＰ５の第４副画素ＳＰ４で補完することができないと判断した際、第３画素ＭＰ３又は第４画素ＭＰ４の上記第９副画素ＳＰ９に与える画像信号の電圧値を調整する。これにより、第１画素ＭＰ１における緑色の表示の不足分を上記第９副画素ＳＰ９に割り付けることができ、第１画素ＭＰ１の画像の表示を補完することができる。  
上記のように、第１画素ＭＰ１における緑色の表示の不足分を１個の小サイズの副画素ＳＰに割り付ける余裕がない場合、割付対象副画素を１個の大サイズの副画素ＳＰのみとすることは有効である。なお、割付対象副画素を１個の大サイズの副画素ＳＰのみとすることは、割付対象副画素を２個の小サイズの副画素ＳＰとする場合と比較して、第１画素ＭＰ１の分の画像を表示する領域の拡大を抑制することができる。輝度分布の拡大を抑制することができるため、シャープネスの高い画像を表示することができるものである。
【００７５】
ここでも、（１）第１画素ＭＰ１における緑色の表示の不足分を、第３画素ＭＰ３の第９副画素ＳＰ９及び第４画素ＭＰ４の第９副画素ＳＰ９の何れにおいても補完することができ、かつ、（２）第１画素ＭＰ１が表示画像の輪郭部に位置している場合、駆動部は、上記不足分をどちらの第９副画素ＳＰ９に割り付けた方が画像にシャギーが生じ難いかを判定し、割り付け先を決定してもよい。
【００７６】
上記のように構成された第２の実施形態に係る液晶表示装置ＤＳＰ及び液晶表示装置ＤＳＰの駆動方法によれば、液晶表示装置ＤＳＰは、上述した第１の実施形態に係る液晶表示装置ＤＳＰと同様に形成されている。このため、第２の実施形態において、上述した第１の実施形態の効果と同様の効果を得ることができる。  
さらに、本実施形態において、第１画素ＭＰ１で緑色の表示が不足する場合、駆動部は、第１画素ＭＰ１に隣合う画素ＭＰのうち緑色を表示する小サイズの第４副画素ＳＰ４に与える画像信号の電圧値を優先的に調整することができる。第１画素ＭＰ１における緑色の表示の不足分を小サイズの副画素ＳＰに優先的に割り付けることができるため、シャープネスの高い画像を表示に寄与することができる。
【００７７】
また、本実施形態においても、各々の画素ＭＰは、白色の副画素ＳＰを備えているため、画像を表示する際、白色の副画素ＳＰを優先的に駆動し、白色を優先的に点灯（表示）することができる。但し、本実施形態においても、表示した画像に粒粒のパターンが視認される事態を回避するために、白色の副画素ＳＰの駆動を調整し、白色の輝度レベルを調整してもよい。  
上述したことから、第２の実施形態において、表示品位に優れた液晶表示装置ＤＳＰ及び液晶表示装置ＤＳＰの駆動方法を得ることができる。そして、シャープネスの低下が小さい、高輝度かつ高精細の液晶表示装置ＤＳＰ及びその駆動方法を得ることができる。
【００７８】
（第３の実施形態）  
次に、第３の実施形態に係る液晶表示装置ＤＳＰ及び液晶表示装置ＤＳＰの駆動方法について説明する。本実施形態に係る液晶表示装置ＤＳＰは、上述した第１の実施形態に係る液晶表示装置ＤＳＰと同様に構成されている。  
本実施形態に係る液晶表示装置ＤＳＰの駆動方法について説明する。ここでは、対象領域ＡＧに緑色を表示し、対象領域ＡＧの外縁部に第１画素群ＭＰＧの第１画素ＭＰ１が位置し、上記第１画素ＭＰ１で緑色の表示が不足する場合、の駆動方法について説明する。なお、次に説明する駆動方法は、第１画素群ＭＰＧの第１画素ＭＰ１以外の画素ＭＰで上記画素ＭＰに存在しない色の表示が不足する場合の駆動方法にも同様に適用可能である。
【００７９】
図１２は、本実施形態に係る液晶表示装置ＤＳＰの駆動方法を説明するための図であり、隣合う４個の画素群ＭＰＧを示す平面図である。図１２には、第１画素群ＭＰＧ１、第２画素群ＭＰＧ２、第３画素群ＭＰＧ３、及び第４画素群ＭＰＧ４を示している。対象領域ＡＧは、ドットパターン或いは灰色で示した領域である。図中、対象領域ＡＧに位置する緑色の副画素ＳＰのみ、点灯している。  
図１２に示すように、対象領域ＡＧに緑色（第３色）を表示するため、駆動部による駆動により、第１画素群ＭＰＧ１の第３画素ＭＰ３、第４画素ＭＰ４、及び第６画素ＭＰ６、第２画素群ＭＰＧ２の第３画素ＭＰ３、第４画素ＭＰ４、第５画素ＭＰ５、及び第６画素ＭＰ６、第３画素群ＭＰＧ３の第２画素ＭＰ２、並びに第４画素群ＭＰＧ４の第２画素ＭＰ２及び第７画素ＭＰ７、は緑色を表示する。第１画素ＭＰ１は、緑色の副画素ＳＰを有していない。このため、対象領域ＡＧに緑色を表示する場合、第１画素ＭＰ１のみで所望の画像を表示することは困難である。ここで、対象領域ＡＧには、第１画素群ＭＰＧ１の第１画素ＭＰ１、第３画素ＭＰ３、第４画素ＭＰ４、及び第６画素ＭＰ６、第２画素群ＭＰＧ２の第１画素ＭＰ１、第３画素ＭＰ３、第４画素ＭＰ４、第５画素ＭＰ５、第６画素ＭＰ６、及び第９画素ＭＰ９、第３画素群ＭＰＧ３の第２画素ＭＰ２及び第８画素ＭＰ８、並びに第４画素群ＭＰＧ４の第２画素ＭＰ２、第７画素ＭＰ７、及び第８画素ＭＰ８、が位置している。第１画素群ＭＰＧ１の第１画素ＭＰ１は、対象領域ＡＧの角部に位置している。
【００８０】
そこで、対象領域ＡＧに緑色（第３色）を表示し、対象領域ＡＧの外縁部に第１画素群ＭＰＧ１の第１画素ＭＰ１が位置し、上記第１画素ＭＰ１で緑色の表示が不足する場合、駆動部は、まず、緑色の表示の不足分を第１画素群ＭＰＧ１の第１画素ＭＰ１に隣合う第２画素ＭＰ２乃至第５画素ＭＰ５のうちの対象領域ＡＧ内に位置する緑色を表示する１個又は２個の副画素ＳＰで補完することができるかどうか判断する。この例では、緑色の表示の不足分を第１画素群ＭＰＧ１の第３画素ＭＰ３の第９副画素ＳＰ９と第４画素ＭＰ４の第９副画素ＳＰ９との少なくとも一方の副画素ＳＰで補完することができるかどうか判断する。
【００８１】
駆動部は、１個又は２個の副画素ＳＰ９で補完することができると判断した際、上記１個又は２個の副画素ＳＰ９である割付対象副画素に与える画像信号の電圧値を調整する。これにより、第１画素ＭＰ１における緑色の表示の不足分の上記割付対象副画素への割り付けを実施することができ、第１画素ＭＰ１の画像の表示を補完することができる。  
上記のように、第１画素群ＭＰＧ１の第２画素ＭＰ２の第４副画素ＳＰ４や第５画素ＭＰ５の第４副画素ＳＰ４など、対象領域ＡＧの外側の副画素ＳＰを割付対象副画素に選択していない。このため、緑を表示する対象領域ＡＧの拡大を抑制することができる。そして、輝度分布が不連続になり難くすることができるため、画像にシャギーが生じ難くすることができる。
【００８２】
上記のように構成された第３の実施形態に係る液晶表示装置ＤＳＰ及び液晶表示装置ＤＳＰの駆動方法によれば、液晶表示装置ＤＳＰは、上述した第１の実施形態に係る液晶表示装置ＤＳＰと同様に形成されている。このため、第３の実施形態において、上述した第１の実施形態の効果と同様の効果を得ることができる。  
さらに、本実施形態において、緑色を表示する対象領域ＡＧの外縁部（角部）に第１画素群ＭＰＧ１の第１画素ＭＰ１が位置している場合、駆動部は、対象領域ＡＧ内に位置し上記第１画素ＭＰ１に隣合う画素ＭＰの副画素ＳＰ９に与える画像信号の電圧値を調整することができる。緑を表示する対象領域ＡＧの輪郭の拡大を抑制することができ、輝度分布が不連続になり難くすることができるため、画像にシャギーが生じ難くすることができる。  
上述したことから、第３の実施形態において、表示品位に優れた液晶表示装置ＤＳＰ及び液晶表示装置ＤＳＰの駆動方法を得ることができる。そして、シャープネスの低下が小さい、高輝度かつ高精細の液晶表示装置ＤＳＰ及びその駆動方法を得ることができる。
【００８３】
（第４の実施形態）  
次に、第４の実施形態に係る液晶表示装置ＤＳＰ及び液晶表示装置ＤＳＰの駆動方法について説明する。本実施形態に係る液晶表示装置ＤＳＰは、上述した第１の実施形態に係る液晶表示装置ＤＳＰと同様に構成されている。  
本実施形態に係る液晶表示装置ＤＳＰの駆動方法について説明する。ここでは、対象領域ＡＧに緑色を表示し、対象領域ＡＧの外縁部に第１画素群ＭＰＧの第１画素ＭＰ１が位置し、上記第１画素ＭＰ１で緑色の表示が不足する場合、の駆動方法について説明する。なお、次に説明する駆動方法は、第１画素群ＭＰＧの第１画素ＭＰ１以外の画素ＭＰで上記画素ＭＰに存在しない色の表示が不足する場合の駆動方法にも同様に適用可能である。
【００８４】
図１３は、本実施形態に係る液晶表示装置ＤＳＰの駆動方法を説明するための図であり、隣合う２個の画素群ＭＰＧを示す平面図である。図１３には、第１画素群ＭＰＧ１、及び第２画素群ＭＰＧ２を示している。  
図１３に示すように、対象領域ＡＧに緑色（第３色）を表示するため、駆動部による駆動により、第１画素群ＭＰＧ１の第３画素ＭＰ３、並びに第２画素群ＭＰＧ２の第３画素ＭＰ３、及び第５画素ＭＰ５、は緑色を表示する。第１画素ＭＰ１は、緑色の副画素ＳＰを有していない。このため、対象領域ＡＧに緑色を表示する場合、第１画素ＭＰ１のみで所望の画像を表示することは困難である。ここで、対象領域ＡＧには、第１画素群ＭＰＧ１の第１画素ＭＰ１、及び第３画素ＭＰ３、並びに第２画素群ＭＰＧ２の第１画素ＭＰ１、第３画素ＭＰ３、及び第５画素ＭＰ５、が位置している。第１画素群ＭＰＧ１の第１画素ＭＰ１は、対象領域ＡＧの端部に位置している。
【００８５】
そこで、対象領域ＡＧに緑色（第３色）を表示し、対象領域ＡＧの外縁部に第１画素群ＭＰＧ１の第１画素ＭＰ１が位置し、上記第１画素ＭＰ１で緑色の表示が不足する場合、駆動部は、まず、緑色の表示の不足分を第１画素群ＭＰＧ１の第１画素ＭＰ１に隣合う第２画素ＭＰ２乃至第５画素ＭＰ５のうちの対象領域ＡＧ内に位置する緑色を表示する１個又は２個の副画素ＳＰで補完することができるかどうか判断する。この例では、緑色の表示の不足分を第１画素群ＭＰＧ１の第３画素ＭＰ３の第９副画素ＳＰ９で補完することができるかどうか判断する。
【００８６】
駆動部は、上記第９副画素ＳＰ９で補完することができると判断した際、上記第９副画素ＳＰ９である割付対象副画素に与える画像信号の電圧値を調整する。これにより、第１画素ＭＰ１における緑色の表示の不足分を上記割付対象副画素に割り付けることができ、第１画素ＭＰ１の画像の表示を補完することができる。  
上記のように、第１画素群ＭＰＧ１の第２画素ＭＰ２の第４副画素ＳＰ４や第４画素ＭＰ４の第９副画素ＳＰ９や第５画素ＭＰ５の第４副画素ＳＰ４など、対象領域ＡＧの外側の副画素ＳＰを割付対象副画素に選択していない。このため、緑を表示する対象領域ＡＧの拡大を抑制することができる。そして、輝度分布が不連続になり難くすることができるため、画像にシャギーが生じ難くすることができる。
【００８７】
一方、駆動部は、上記第９副画素ＳＰ９で補完することができないと判断した際、第１画素群ＭＰＧ１の第２画素ＭＰ２乃至第９画素ＭＰ９のうちの緑色を表示する全ての副画素ＳＰへの割り付けを中止する。  
上記のように、第１画素ＭＰ１における緑色の表示の不足分を第９副画素ＳＰ９に割り付ける余裕がない場合、上記のように割付対象副画素を選択しないことは有効である。この場合においても、緑を表示する対象領域ＡＧの拡大を抑制することができる。そして、輝度分布が不連続になり難くすることができるため、画像にシャギーが生じ難くすることができる。
【００８８】
上記のように構成された第４の実施形態に係る液晶表示装置ＤＳＰ及び液晶表示装置ＤＳＰの駆動方法によれば、液晶表示装置ＤＳＰは、上述した第１の実施形態に係る液晶表示装置ＤＳＰと同様に形成されている。このため、第４の実施形態において、上述した第１の実施形態の効果と同様の効果を得ることができる。  
例えば、駆動部は、割付対象副画素を第２画素ＭＰ２乃至第９画素ＭＰ９からランダムに選び出すことができる。１フレーム期間毎に、割付対象副画素への割り付け量を変えてもよい。または、１フレーム期間毎に、割付対象副画素を替えてもよい。  
さらに、本実施形態において、緑色を表示する対象領域ＡＧの外縁部（端部）に第１画素群ＭＰＧ１の第１画素ＭＰ１が位置している場合、駆動部は、対象領域ＡＧ内に位置し上記第１画素ＭＰ１に隣合う画素ＭＰの副画素ＳＰ９に与える画像信号の電圧値を調整することができる。一方、第１画素ＭＰ１における緑色の表示の不足分を第９副画素ＳＰ９に割り付ける余裕がない場合、対象領域ＡＧの外側においても割付対象副画素を選択していない。緑を表示する対象領域ＡＧの輪郭の拡大を抑制することができ、輝度分布が不連続になり難くすることができるため、画像にシャギーが生じ難くすることができる。  
上述したことから、第４の実施形態において、表示品位に優れた液晶表示装置ＤＳＰ及び液晶表示装置ＤＳＰの駆動方法を得ることができる。そして、シャープネスの低下が小さい、高輝度かつ高精細の液晶表示装置ＤＳＰ及びその駆動方法を得ることができる。
【００８９】
（第５の実施形態）  
次に、第５の実施形態に係る液晶表示装置ＤＳＰ及び液晶表示装置ＤＳＰの駆動方法について説明する。本実施形態に係る液晶表示装置ＤＳＰは、上述した第１の実施形態に係る液晶表示装置ＤＳＰと同様に構成されている。  
本実施形態に係る液晶表示装置ＤＳＰの駆動方法について説明する。ここでは、第１画素ＭＰ１で緑色の表示が不足する場合、第１画素ＭＰ１を取囲む画素ＭＰの副画素ＳＰが緑色の表示の不足分を受け持つことにより、第１画素ＭＰ１の画像の表示を補完する方法について説明する。ここで、第１画素ＭＰ１を取囲む画素としては、第１画素ＭＰ１の周囲の８個の画素ＭＰ（ＭＰ２乃至ＭＰ９）が該当する。なお、次に説明する駆動方法は、第１画素ＭＰ１以外の画素ＭＰで上記画素ＭＰに存在しない色の表示が不足する場合の駆動方法にも同様に適用可能である。
【００９０】
図１４は、本実施形態に係る液晶表示装置ＤＳＰの駆動方法を説明するための図であり、一画素群ＭＰＧを示す平面図である。  
図１４に示すように、第１画素ＭＰ１は、緑色の副画素ＳＰを有していない。このため、第１画素ＭＰ１のみで所望の画像を表示することが困難な場合がある。そこで、第１画素ＭＰ１で緑色の表示が不足する場合、駆動部は、第１画素ＭＰ１を取囲む第２画素ＭＰ２、第３画素ＭＰ３、第４画素ＭＰ４、第５画素ＭＰ５、第６画素ＭＰ６、第７画素ＭＰ７、第８画素ＭＰ８、及び第９画素ＭＰ９のうちの緑色を表示する１個又は２個の副画素ＳＰである割付対象副画素に与える画像信号の電圧値を調整する。本実施形態において、割付対象副画素は、第２画素ＭＰ２の第４副画素ＳＰ４、第３画素ＭＰ３の第９副画素ＳＰ９、第４画素ＭＰ４の第９副画素ＳＰ９、第５画素ＭＰ５の第４副画素ＳＰ４、及び第６画素ＭＰ６の第４副画素ＳＰ４のうちの１個又は２個である。電圧値が調整された画像信号は、信号線Ｓを介して画素電極ＰＥに与えられる。これにより、第１画素ＭＰ１における緑色の表示の不足分を割付対象副画素に割り付けることができ、第１画素ＭＰ１の画像の表示を補完することができる。  
例えば、割付対象副画素を調整することにより、緑色の輝度レベルを調整することができる。
【００９１】
上記のように構成された第５の実施形態に係る液晶表示装置ＤＳＰ及び液晶表示装置ＤＳＰの駆動方法によれば、液晶表示装置ＤＳＰは、上述した第１の実施形態に係る液晶表示装置ＤＳＰと同様に形成されている。このため、第５の実施形態において、上述した第１の実施形態の効果と同様の効果を得ることができる。  
さらに、本実施形態において、第１画素ＭＰ１で緑色の表示が不足する場合、駆動部は、第１画素ＭＰ１に隣合う４個の画素ＭＰからだけではなく、第１画素ＭＰ１を取囲む８個の画素ＭＰから割付対象副画素を選択することができる。このため、割付対象副画素の選択肢を増やすことができる。
【００９２】
割付対象副画素として第６画素ＭＰ６の第４副画素ＳＰ４を選択した場合であっても、色味の崩れが少ない画像を表示することができ、画像の輪郭のシャープネスを高くすることができる。  
上述したことから、第５の実施形態において、表示品位に優れた液晶表示装置ＤＳＰ及び液晶表示装置ＤＳＰの駆動方法を得ることができる。そして、シャープネスの低下が小さい、高輝度かつ高精細の液晶表示装置ＤＳＰ及びその駆動方法を得ることができる。
【００９３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００９４】
例えば、上記第１方向Ｘ及び第２方向Ｙの向きは、上述した各実施形態に限定されるものではなく、種々変形可能である。例示的に図１５に示すように、第５画素ＭＰ５が上側、第３画素ＭＰ３が下側となるＸ−Ｙ平面視において、第１方向Ｘが左向きであり、第２方向Ｙが上向きであってもよい。別の例では、第１方向Ｘが右向きであり、第２方向Ｙが上向きであってもよい。また別の例では、第１方向Ｘが左向きであり、第２方向Ｙが下向きであってもよい。
【００９５】
駆動部は、第１色乃至第３色のうちの少なくとも１色の表示が不足する少なくとも１種類の複数の画素ＭＰが表示領域ＤＡの全域に存在する場合、各々の画素ＭＰを取囲む８個の画素ＭＰのうちの上記不足する色を表示する１個又は２個の副画素ＳＰである割付対象副画素をランダムに選び出し、上記割付対象副画素に与える画像信号の電圧値を調整してもよい。これにより、上記不足する色の表示の不足分を上記割付対象副画素に割り付けることができる。  
例えば、ある個所では右側の画素ＭＰの副画素ＳＰを割付対象副画素として選択し、別の個所では下側の画素ＭＰの副画素ＳＰを割付対象副画素として選択する。これにより、自画素ＭＰの右側の画素ＭＰの副画素ＳＰのみを割付対象副画素として選択する場合と比較して、不均一に割り付けされるため、画像に生じ得る周期的なモアレを低減することができる。
【００９６】
上述した実施形態に係る液晶表示パネルＰＮＬは、表示モードとしてＦＦＳモードに対応した構成を有しているが、他の表示モードに対応した構成を有していてもよい。例えば、液晶表示パネルＰＮＬは、ＦＦＳモード等の主として基板主面に略平行な横電界を利用するＩＰＳ（In-Plane Switching）モードに対応した構成を有していてもよい。横電界を利用する表示モードでは、例えばアレイ基板ＡＲに画素電極ＰＥ及び共通電極ＣＥの双方が備えられた構成が適用可能である。又は、液晶表示パネルＰＮＬは、ＴＮ（Twisted Nematic）モード、ＯＣＢ（Optically Compensated Bend）モード、ＶＡ（Vertical Aligned）モード等の主として基板主面に略垂直な縦電界を利用するモードに対応した構成を有していてもよい。縦電界を利用する表示モードでは、例えばアレイ基板ＡＲに画素電極ＰＥが備えられ、対向基板ＣＴに共通電極ＣＥが備えられた構成が適用可能である。なお、ここでの基板主面とは、互いに直交する第１方向Ｘと第２方向Ｙとで規定されるＸ−Ｙ平面と平行な面である。  
上記スイッチング素子ＳＷは、ダブルゲート型の薄膜トランジスタではなく、シングルゲート型の薄膜トランジスタによって形成されていてもよい。
【００９７】
上述した実施形態では、表示装置として、液晶表示装置を例に開示した。しかし、上述した実施形態は、有機ＥＬ（electroluminescent）表示装置、その他の自発光型表示装置、あるいは電気泳動素子等を有する電子ペーパ型表示装置等、あらゆるフラットパネル型の表示装置に適用可能である。上述した実施形態は、中小型の表示装置から大型の表示装置まで、特に限定することなく適用が可能である。また、上述した実施形態は、各種の表示装置の駆動方法に適用可能である。
【符号の説明】
【００９８】
ＤＳＰ…液晶表示装置、ＰＮＬ…液晶表示パネル、ＡＲ…アレイ基板、ＣＴ…対向基板、ＬＱ…液晶層、ＭＰＧ，ＭＰＧ１，ＭＰＧ２，ＭＰＧ３，ＭＰＧ４…画素群、ＭＰ，ＭＰ１，ＭＰ２，ＭＰ３，ＭＰ４，ＭＰ５，ＭＰ６，ＭＰ７，ＭＰ８，ＭＰ９…画素、ＳＰ，ＳＰ１，ＳＰ２，ＳＰ３，ＳＰ４，ＳＰ５，ＳＰ６，ＳＰ７，ＳＰ８，ＳＰ９…副画素、Ｇ，Ｇ１，Ｇ２，Ｇ３…走査線、Ｓ，Ｓ１，Ｓ２，Ｓ３…信号線、ＳＷ，ＳＷ１，ＳＷ３，ＳＷ５，ＳＷ７，ＳＷ９…スイッチング素子、ＳＣ，ＳＣ１，ＳＣ３，ＳＣ５…半導体層、Ｒ１，Ｒ２，Ｒ３，Ｒ４，Ｒ５，Ｒ６，Ｒ７，Ｒ８，Ｒ９…領域、ＰＥ，ＰＥ１，ＰＥ２，ＰＥ３，ＰＥ５，ＰＥ６，ＰＥ７，ＰＥ８，ＰＥ９…画素電極、
ＣＦ…カラーフィルタ、ＣＦ１，ＣＦ３，ＣＦ５，ＣＦ６…着色層、Ｘ…第１方向、Ｙ…第２方向。
【図１】
2017037179.tif 000003
【図２】
2017037179.tif 000004
【図３】
2017037179.tif 000005
【図４】
2017037179.tif 000006
【図５】
2017037179.tif 000007
【図６】
2017037179.tif 000008
【図７】
2017037179.tif 000009
【図８】
2017037179.tif 000010
【図９】
2017037179.tif 000011
【図１０】
2017037179.tif 000012
【図１１】
2017037179.tif 000013
【図１２】
2017037179.tif 000014
【図１３】
2017037179.tif 000015
【図１４】
2017037179.tif 000016
【図１５】
2017037179.tif 000017